(57)【要約】【課題】自動体外式除細動器を用いて救命処置を施す場合に、救命処置の状況を救援者の手を煩わせることなく遠隔地に通知する。【解決手段】傷病者に対して救命処置を行うための自動体外式除細動器２００であって、自動体外式除細動器２００を用いた救命処置の状況を示す情報を遠隔地に送信する、通信部２７１、通信データ生成部２６０及び通信制御部２７０を有する。【選択図】図１
2010246712.tif 000002
【特許請求の範囲】
【請求項１】
傷病者に対して救命処置を行うための自動体外式除細動器であって、
前記自動体外式除細動器を用いた救命処置の状況を示す情報を遠隔地に送信する通信手段を有する自動体外式除細動器。
【請求項２】
請求項１に記載の自動体外式除細動器において、
前記傷病者の生体情報を取得する生体情報取得手段を有し、
前記通信手段は、前記生体情報取得手段にて取得された前記傷病者の生体情報を遠隔地に送信する自動体外式除細動器。
【請求項３】
請求項１に記載の自動体外式除細動器において、
当該自動体外式除細動器の現在の位置情報を取得する位置取得手段を有し、
前記通信手段は、前記位置取得手段にて取得された前記自動体外式除細動器の現在の位置情報を遠隔地に送信する自動体外式除細動器。
【請求項４】
請求項１に記載の自動体外式除細動器において、
当該自動体外式除細動器の周囲の環境情報を取得する環境情報取得手段を有し、
前記通信手段は、前記環境情報取得手段にて取得された前記自動体外式除細動器の環境情報を遠隔地に送信する自動体外式除細動器。
【請求項５】
請求項１に記載の自動体外式除細動器において、
当該自動体外式除細動器の周囲の環境情報の視覚的を取得する視覚情報取得手段を有し、
前記通信手段は、前記視覚情報取得手段にて取得された前記自動体外式除細動器の環境情報を遠隔地に送信する自動体外式除細動器。
【請求項６】
請求項１乃至５のいずれか１項に記載の自動体外式除細動器において、
前記通信手段を介して前記遠隔地との間にて通話を可能とする通話手段を有する自動体外式除細動器。
【請求項７】
請求項６に記載の自動体外式除細動器において、
前記通信手段を介して前記遠隔地からの操作によって向きが変わるポインティングデバイスを有する自動体外式除細動器。
【発明の詳細な説明】
【技術分野】
【０００１】
本発明は、心肺停止傷病者の心電図を自動解析し、除細動（電気ショック）が必要な場合に音声等の指示により除細動を与えることができる自動体外式除細動器（ＡＥＤ：Automated External Defibrillator）に関する。
【背景技術】
【０００２】
自動体外式除細動器は、心肺停止傷病者に対して、近くにいた一般の人が早めの除細動や心臓マッサージを施すための装置である。心肺停止傷病者に関しては、早めの除細動や心臓マッサージが必要であり、心肺停止後、除細動が一分遅れるごとに７％〜１０％救命率が減少すると言われている。適切な救命処置を素早く開始されることが求められ、正確な状況判断に基づく適切処置が救命率の向上に繋がる。
【０００３】
図６は、一般的な自動体外式除細動器の構成を示すブロック図である。
【０００４】
一般的な自動体外式除細動器は図６に示すように、傷病者に装着するための電極パッド１４０と、救助者からの操作を受け付けるための起動スイッチ１５０及び電気ショックスイッチ１５３と、救助者にガイダンス情報を通知するための音声情報出力部１５１及び視覚情報出力部１５２と、動作手順を記憶した動作手順記憶部１０２と、電気ショックを発生させる電気ショック発生部１２０と、電極パッド１４０を通して得られる心電位等の傷病者の生体情報をデジタルデータ化する生体情報センサ部１１０と、電気ショック発生部１０２と生体情報センサ部１１０とを切り替える電極パッド接続切替部１３０と、生体情報センサ部１１０にてデジタル化された生体情報を記憶するセンサ情報記憶部１１１と、生体センサ情報記録部１１１に記録されているデータに基づいて救命処置を判断する救命処置判断部１１２と、これらを制御する制御部１０１とから構成されている。
【０００５】
上記のように構成された自動体外式除細動器１００においては、救助者が起動スイッチ１５０をオンにすることにより、自動体外式除細動器１００の動作が開始すると、制御部１０１が全体の制御を開始する。制御部１０１は、動作手順記憶部１０２に記憶された動作手順に従って、次に実施すべき動作内容、並びにその時の音声ガイダンス及び表示ガイダンスの各内容に基づいた動作を実施する。
【０００６】
まず、電極装着段階においては、制御部１０１は、動作手順記憶部１０２より、電極パッド１４０の装着を促すためのガイダンス情報を入手し、これを音声情報出力部１５１及び視覚情報出力部１５２を通して救助者に通知する。また、制御部１０１は、電極パッド動作切替部１３０に対し、生体情報センサ部１１０と電気ショック発生部１２０との接続を切り替える（遮断する）ことを指示する。
【０００７】
そして、救助者が電気パッド１４０を傷病者に装着し終え、電気ショックスイッチ１５３を押下することにより、生体情報解析段階が開始される。
【０００８】
制御部１０１は、動作手順記憶部１０２より、現在解析中であることを知らせるためのガイダンス情報を入手し、これを音声情報出力部１５１及び視覚情報出力部１５２を通して救助者に通知する。また、制御部１０１は、電極パッド接続切替部１３０に対し、生体情報センサ部１１０との接続を実施し、電気ショック発生部１２０を遮断することを指示する。
【０００９】
電極パッド１４０を通して得られる心電位等の傷病者の生体情報は、生体情報センサ部１１０によってデジタルデータ化される。制御部１０１は、生体情報センサ部１１０からデジタルデータを受け取り、それをセンサ情報記憶部１１１に追記する。センサ情報記憶部１１１には、センサを介して得られた生体情報が時間経過と共に記録、蓄積される。
【００１０】
動作手順記憶部１０２の情報として予め設定された時間が経過した後、制御部１０１は救命処置判断部１１２に判断処理の実施を指示する。
【００１１】
これを受け、救命処置判断部１１２は、生体センサ情報記録部１１１に記録されているデータに基づいて、本当に電気ショックの処置が必要か否かを判断し、その結果を制御部１０１に通知する。そして、電気ショックが不要と判断された場合には、救助者による介護ステップに進むこととし、必要となるガイダンス情報を動作手順記憶部１０２より取得し、これを音声情報出力部１５１及び視覚情報出力部１５２を通して救助者に通知する。一方、電気ショックが必要と判断された場合には、電気ショックを実施するステップに移行する。
【００１２】
電気ショックを実施するステップに移行すると、まず、制御部１０１は、この指示に必要となるガイダンス情報を動作手順記憶部１０２より取得し、これを音声情報出力部１５１及び視覚情報出力部１５２を通して救助者に通知する。また、制御部１０１は、電極パッド動作切替部１３０に対し、生体情報センサ部１１０を遮断し、電気ショック発生部１２０と接続することを指示する。
【００１３】
制御部１０１が、電気ショックを発生させる直前には、音声情報出力部１５１及び視覚情報出力部１５２を通して最後の注意ガイダンス、あるいはカウントダウン情報を通知する。その上で、制御部１０１は、電気ショック発生部１２０に対し、電気ショックの通電を指示する。電気ショック発生部１２０は、電極パッド１４０を介して、傷病者に対し電気ショックを与える。
【００１４】
電気ショックを与えた後は、傷病者の状態に変化が生じる可能性があるので、生体情報解析段階に移行する。
【００１５】
以上のような各段階の状態遷移を繰り返し、自動体外式除細動器１００は救助者に対して必要な救護活動に関するガイダンスを与え続ける。
【００１６】
ここで、自動体外式除細動器に関連する技術しては、従来技術として以下のようなものが提案されている。
【００１７】
特許文献１では、自動体外式除細動器を操作する可能性のある人が多様化していることを考慮し、例えば高齢者のように「限定的な体力及び器用さを有する人々」であったとしても、電極容器の開封が容易に行なえるようにする方法が提案されている。
【００１８】
また、特許文献２では、自動体外式除細動器が取り出されたこと、すなわち使用状態になったことを、その自動体外式除細動器を収納する自動体外式除細動器収納装置によって検知し、患者の発生を音声ガイダンスにより周囲に知らせたり、ネットワークを介して同器を管理する管理センタに通報したりする方法が提案されている。
【先行技術文献】
【特許文献】
【００１９】
【特許文献１】特表２００６-５０３６３３号公報
【特許文献２】特開２００６-４３２７０号公報
【発明の概要】
【発明が解決しようとする課題】
【００２０】
自動体外式除細動器を操作する救助者は、発生した傷病者の近くに居合わせただけの一般の人であり、そのような場面に遭遇することになると予想できている場合は少ない。現在、自動体外式除細動器の操作方法に関しては、職場や地域社会において講習会が実施されているが、受講機会は数年に１度程度の場合が多く、また実際に心肺停止傷病者に遭遇する機会も多くはない。従って、救助者が講習修了者であったとしても、いざ実際の心肺停止傷病者に対して自動体外式除細動器を適用する時には、不安や緊張を伴うことになる。そして、不安や緊張が、救助活動の開始を遅らせたり、実施すべき操作を忘れたり、誤操作したりすることの原因となる。
【００２１】
また、救助者が一名で、電話等による救急活動隊への情報連絡と、自動体外式除細動器による救命処置の両方を実施しなければならない場合、電話をしながら自動体外式除細動器を操作をすることになり、救急活動隊への正確な情報伝達を行なおうとすると、救命処置の実施が遅れることになる。あるいは、傷病者の周囲に充分な数の人がいて、携帯電話等により救命者と遠隔地にいる専門家が音声通話ができたとしても、口頭伝達での説明では傷病者の状況把握や、救命活動に関するアドバイスが正確に伝わらなかったり、時間がかかってしまったりする可能性がある。
【００２２】
以上説明した課題を整理すると次のようになる。
【００２３】
（課題１）
救助者が一名の場合において、傷病者の救命処置に専念すると救急活動隊への情報連絡が疎かになり、また、それとは逆に、救急活動隊への情報連絡に専念すると傷病者の救命処置が疎かになる。
【００２４】
（課題２）
自動体外式除細動器はセンサによって傷病者の生体情報を正確に測定、把握しているが、このデータは、救急活動隊が現場に到着することにより初めて救命活動の専門家に参照されるので、それ以前の段階では救急活動隊の救命作業方針の策定等に利用することができない。
【００２５】
（課題３）
携帯電話等により、遠隔地にいる専門家が救助者に対して、傷病者の状態に応じた救命処置のアドバイスを行なおうとしても、音声通話のみでは正確な情報伝達や把握に時間がかかる。
【００２６】
上述した特許文献１の記載の技術は、「電極容器の開封」という作業を容易化することにより、自動体外式除細動器を利用する救助者の作業上の障害を低減しているが、上述した課題１〜３の解決に寄与することはできない。
【００２７】
また、特許文献２には、自動体外式除細動がそれを収納する箱から取り出されたことを検知し、これをトリガとして周囲に音声ガイダンスを流したり、管理センタと通信を開始したりする方法が示されているが、示されている方法においては、収納箱の側に通信機能やスピーカ、ディスプレイ等が組み込まれている。
【００２８】
一般的には、収納箱から取り出された自動体外式除細動器は、傷病者のいる離れた場所に運ばれて利用されるため、収納箱の存在する位置が、すなわち救助者が救命活動を実施する場所ではない。したがって、管理センタに収納箱の位置を通知できたとしても、実際の傷病者の位置に関して詳しい情報を通知することができず、課題１の改善は限定的なものとなる。
【００２９】
また、遠隔者から救命活動に関するアドバイスを得るという観点では、収納箱に通信機能やスピーカ、ディスプレイが取り付けられていると、救助活動を行なうものは、患者のいる場所と、収納箱の設置されている場所との間を往復する必要があり、患者の救命処置を行なっている最中に、リアルタイムなアドバイスを得られることができないため、課題３の改善も限定的なものとなる。また、課題２の解決には寄与することはできない。
【００３０】
本発明は、上述したような技術が有する問題点に鑑みてなされたものであって、自動体外式除細動器を用いて救命処置を施す場合に、救命処置の状況を救援者の手を煩わせることなく遠隔地に通知することができる自動体外式除細動器を提供することを目的とする。
【課題を解決するための手段】
【００３１】
上記目的を達成するために本発明は、
傷病者に対して救命処置を行うための自動体外式除細動器であって、
前記自動体外式除細動器を用いた救命処置の状況を示す情報を遠隔地に送信する通信手段を有する。
【００３２】
また、前記傷病者の生体情報を取得する生体情報取得手段を有し、
前記通信手段は、前記生体情報取得手段にて取得された前記傷病者の生体情報を遠隔地に送信する。
【００３３】
また、当該自動体外式除細動器の現在の位置情報を取得する位置取得手段を有し、
前記通信手段は、前記位置取得手段にて取得された前記自動体外式除細動器の現在の位置情報を遠隔地に送信する。
【００３４】
また、当該自動体外式除細動器の周囲の環境情報を取得する環境情報取得手段を有し、
前記通信手段は、前記環境情報取得手段にて取得された前記自動体外式除細動器の環境情報を遠隔地に送信する。
【００３５】
また、当該自動体外式除細動器の周囲の環境情報の視覚的を取得する視覚情報取得手段を有し、
前記通信手段は、前記視覚情報取得手段にて取得された前記自動体外式除細動器の環境情報を遠隔地に送信する。
【００３６】
また、前記通信手段を介して前記遠隔地との間にて通話を可能とする通話手段を有する。
【００３７】
また、前記通信手段を介して前記遠隔地からの操作によって向きが変わるポインティングデバイスを有する。
【発明の効果】
【００３８】
以上説明したように本発明は、自動体外式除細動器を用いた救命処置の状況を示す情報を遠隔地に送信する通信手段を有する構成としたため、自動体外式除細動器を用いて救命処置を施す場合に、救命処置の状況を救援者の手を煩わせることなく遠隔地に通知することができる。
【００３９】
また、傷病者の生体情報を取得する生体情報取得手段を有し、通信手段が、生体情報取得手段にて取得された傷病者の生体情報を遠隔地に送信するものにおいては、救助者になった人にとっては、救急活動隊到着時の状況報告に払う意識が軽減され、その分、目の前の傷病者の救助と自動体外式除細動器の操作に意識を集中することができる。また、遠隔地の救急センタや、現場に駆けつける救急活動隊にとっては、現場に到着する前の段階で、傷病者の生体情報を入手可能となり、傷病者の様態に関して、現場到着前から正確な情報を得ることができ、現場に現在に到着する前の段階で傷病者に対して実施すべき救護活動内容を事前に検討し準備しておくことができ、また、現場に到着した際に、傷病者に対する状況確認のための検診手順を少なくすることができ、救護処置の開始を早めることができる。
【００４０】
また、自動体外式除細動器の現在の位置情報を取得する位置取得手段を有し、通信手段が、位置取得手段にて取得された自動体外式除細動器の現在の位置情報を遠隔地に送信するものにおいては、救助者になった人にとっては、現在の場所を電話等で救急活動隊に通知する必要がなくなり、その分、目の前の傷病者の救助と自動体外式除細動器の操作に意識を集中することができる。また、遠隔地の救急センタや、現場に駆けつける救急活動隊にとっては、現場に到着する前の段階で、自動体外式除細動器の現在の位置情報を入手可能となり、カーナビ等の最短経路誘導などと組み合わせることにより、傷病者がいる現場への到着を早めることが期待できるとともに、傷病者や収容してから搬送先となる施設までの経路を事前に検討する上で参考情報となる。
【００４１】
このように、救急活動隊の救護活動が一刻も早く実施されること、また、搬送先の施設への到着が僅かでも早まることにより、傷病者の救命率の向上に寄与する。
【００４２】
また、自動体外式除細動器の周囲の環境情報の視覚的を取得する視覚情報取得手段を有し、通信手段が、視覚情報取得手段にて取得された自動体外式除細動器の環境情報を遠隔地に送信する構成としたものにおいては、所持品等から傷病者の名前や住所、通院病院等の情報が得られれば、親族や担当医師から傷病者の体の状況に関する情報を入手することが可能となり、救命処置における有益な参考情報を得ることができ、また、ビデオ画像がある場合、傷病者のおかれている状態や、外傷状況等を画像情報として入手でき、こうした情報を救急活動隊が現場到着前に把握できることにより、到着後に実施する救命活動を、速やかかつ円滑に開始することができる。
【００４３】
また、通信手段を介して遠隔地との間にて通話を可能とする通話手段を有するものや、通信手段を介して遠隔地からの操作によって向きが変わるポインティングデバイスを有するものにおいては、救助者になった人にとっては、曖昧な記憶に頼った対応だけではなく、あたかも専門家が横に付いていてくれるようにアドバイスを得ることができるとともに、救助者の不安感や緊張感を低減させることができ、誤操作を恐れて処置を躊躇うといった初期対応の遅れを軽減することができる。また、遠隔地の救急センタや、現場に駆けつける救急活動隊にとっては、救急活動隊の到着よりも前に、口頭で傷病者の様子を確認することができ、また、遠隔地から「この部分を確認しろ」という指示を、場所を明確に指定しながら救助者に伝えることができ、より確実な救助作業支援を行なうことができる。
【００４４】
このように、現場の救助者と遠隔地にいる専門家とが協力して初期救急活動を行なうことができ、傷病者の救命率の向上に寄与する。
【図面の簡単な説明】
【００４５】
【図１】本発明の自動体外式除細動器の第１の実施の形態を示すブロック図である。
【図２】本発明の自動体外式除細動器の第２の実施の形態を示すブロック図である。
【図３】本発明の自動体外式除細動器の第３の実施の形態を示すブロック図である。
【図４】図３に示した自動体外式除細動器の第１の実施例を示す外観斜視図であり、（ａ）は収納時の状態を示す図、（ｂ）は使用時の状態を示す図である。
【図５】図３に示した自動体外式除細動器の第２の実施例を示す外観斜視図である。
【図６】一般的な自動体外式除細動器の構成を示すブロック図である。
【発明を実施するための形態】
【００４６】
以下に、本発明の実施の形態について図面を参照して説明する。
【００４７】
（第１の実施の形態）
図１は、本発明の自動体外式除細動器の第１の実施の形態を示すブロック図である。
【００４８】
本形態の自動体外式除細動器は図１に示すように、傷病者に装着するための電極パッド１４０と、救助者からの操作を受け付けるための起動スイッチ１５０及び電気ショックスイッチ１５３と、救助者にガイダンス情報を通知するための音声情報出力部１５１及び視覚情報出力部１５２と、動作手順を記憶した動作手順記憶部１０２と、電気ショックを発生させる電気ショック発生部１２０と、電極パッド１４０を通して得られる心電位等の傷病者の生体情報をデジタルデータ化する生体情報取得手段である生体情報センサ部１１０と、電気ショック発生部１０２と生体情報センサ部１１０とを切り替える電極パッド接続切替部１３０と、生体センサ情報記録部１１１に記録されているデータに基づいて救命処置を判断する救命処置判断部１１２と、自動体外式除細動器２００の現在の位置情報を取得する位置情報取得手段である位置情報センサ部２１０と、生体情報センサ部１１０にてデジタル化された生体情報と位置情報センサ部２１０にて取得された位置情報とを記憶するセンサ情報記憶部１１１と、センサ情報記憶部１１１に記憶された情報を遠隔地に送信する通信部２７１と、通信部２７０の送信動作を制御する通信制御部２７０と、センサ情報記憶部１１１に記憶された情報から通信部２７１にて送信する通信データを生成する通信データ生成部２６０と、これらを制御する制御部１０１とから構成されており、通信データ生成部２６０、通信制御部２７０及び通信部２７１から、本発明の通信手段が構成される。すなわち、本形態の自動体外式除細動器２００は、図６に示したものに対して、位置情報センサ部２１０、通信データ生成部２６０、通信制御部２７０及び通信部２７１が新たに付加されたものである。
【００４９】
以下に、上記のように構成された自動体外式除細動器２００の動作について説明する。
【００５０】
まず、救助者が起動スイッチ１５０をオンにすることにより、自動体外式除細動器２００の動作が開始する。ただし、自動体外式除細動器２００のフタ、あるいはカバーを外すことが起動スイッチ１５０をオンにすることと同じ実装となっている場合もある。起動により、制御部１０１が全体の制御を開始する。
【００５１】
制御部１０１は、処理した動作のステップを常に把握しており、その次に実施すべき動作内容、並びにその時の音声ガイダンス及び表示ガイダンスの各内容を動作手順記憶部１０２より検索し、その情報を受け、電極装着段階、生体情報解析段階、電気ショック通電段階の各段階における処理を実施する。
【００５２】
（電極装着段階）
電極装着段階は、救助者が電極パッド１４０を傷病者に取り付ける作業を支援する段階である。
【００５３】
制御部１０１は、動作手順記憶部１０２より、電極パッド１４０の装着を促すためのガイダンス情報を入手し、これを音声情報出力部１５１及び視覚情報出力部１５２を通して救助者に通知する。
【００５４】
また、制御部１０１は、電極パッド動作切替部１３０に対し、生体情報センサ部１１０と電気ショック発生部１２０との接続を切替える（遮断する）ことを指示する。
【００５５】
（生体情報解析段階）
生体情報解析段階は、救助者が電気パッド１４０を傷病者に装着し終え、電気ショックスイッチ１５３を押下することにより開始される。
【００５６】
制御部１０１は、動作手順記憶部１０２より、現在解析中であることを知らせるためのガイダンス情報を入手し、これを音声情報出力部１５１及び視覚情報出力部１５２を通して救助者に通知する。
【００５７】
また、制御部１０１は、電極パッド動作切替部１３０に対し、生体情報センサ部１１０との接続を実施し、電気ショック発生部１２０を遮断することを指示する。
【００５８】
電極パッド１４０を通して得られる心電位等の傷病者の生体情報は、生体情報センサ部１１０によってデジタルデータ化される。制御部１０１は、生体情報センサ部１１０からデジタルデータを受け取り、それを生体センサ情報記憶部１１１に追記する。生体センサ情報記憶部１１１には、センサを介して得られた生体情報が時間経過と共に記録、蓄積される。
【００５９】
動作手順記憶部１０２の情報として予め設定された時間が経過した後、制御部１０１は救命処置判断部１１２に判断処理の実施を指示する。
【００６０】
これを受け、救命処置判断部１１２は、生体センサ情報記録部１１１に記録されているデータを参照し、本当に電気ショックの処置が必要か否かを判断し、その結果を制御部１０１に通知する。そして、電気ショックが不要と判断された場合には、救助者による介護ステップに進むこととし、必要となるガイダンス情報を動作手順記憶部１０２より取得し、これを音声情報出力部１５１及び視覚情報出力部１５２を通して救助者に通知する。一方、電気ショックが必要と判断された場合には、電気ショックを実施するステップに移行する。
【００６１】
（電気ショック通電段階）
制御部１０１が電気ショック通電段階に進んだ場合、最初に行うことは、救助者も含め周囲の人間が傷病者から離れることを指示することである。
【００６２】
制御部１０１は、この指示に必要となるガイダンス情報を動作手順記憶部１０２より取得し、これを音声情報出力部１５１及び視覚情報出力部１５２を通して救助者に通知する。
【００６３】
また、制御部１０１は、電極パッド動作切替部１３０に対し、生体情報センサ部１１０を遮断し、電気ショック発生部１２０と接続することを指示する。
【００６４】
制御部１０１が電気ショックを発生させる直前には、音声情報出力部１５１及び視覚情報出力部１５２を通して最後の注意ガイダンス、あるいはカウントダウン情報を通知する。その上で、制御部１０１は電気ショック発生部１２０に対し、電気ショックの通電を指示する。
【００６５】
電気ショック発生部１２０は、電極パッド１４０を介して、傷病者に対し電気ショックを与える。電気ショックを与えた後は、傷病者の状態に変化が生じる可能性があるので、生体情報解析段階に移行する。
【００６６】
以上のような各段階の状態遷移を繰り返し、自動体外式除細動器１００は救助者に対して必要な救護活動に関するガイダンスを与え続ける。
【００６７】
（データ送信処理）
位置情報センサ部２１０は、自動体外式除細動器２００が、位置的にどの場所で利用されているかを検知し、自動体外式除細動器２００の現在の位置情報を取得する。具体的には、ＧＰＳ測位や、近くの無線基地局の識別ＩＤ、照明からの可視光通信による位置取得等が挙げられる。これら全ての位置取得手段を具備する必要はなく、自動体外式除細動器２００が通常設置されている場所に応じて１つ以上備えていればよい。位置情報センサ部２１０にて取得された位置情報は、センサ情報記憶部１１１にて記憶される。
【００６８】
ここで、センサ情報記憶部１１１での情報記憶処理までに関しては、全て自動体外式除細動器２００の内部に閉じた処理であるため、制御部１０１は意図した手順に処理動作が進むことを期待できる。
【００６９】
しかし、このデータを遠隔地に通信で送出することに関しては、通信ネットワークインフラ、場合によっては受信側のデータ端末との連携が必要となる。そして、通信インフラに関しては、例えば、現在位置が無線電波が届かない場所であることによって通信が不可能であったり、あるいはノイズの影響により、切断や接続を繰り返す不安定な通信状況に置かれることがある。また、受信側端末がＦＡＸ等の自動応答端末であるような場合には、通信インフラ的に問題はなくても、相手側の端末が応答しないと通信処理を進めることができない。このように、本体に閉じて実行可能な処理と異なり、データ通信を行なう場合、予想外の切断や再送信を予め考慮しておく必要がある。
【００７０】
以上の観点から、本形態においては、傷病者の救命を最優先とすべき制御部１０１とは別に、通信処理だけを専門に扱う通信制御部２７０を有している。
【００７１】
通信制御部２７０は、制御部１０１からの指示により動作を開始し、基本的には制御部１０１から独立して通信処理の制御を実施する。
【００７２】
通信部２７１は、外部の通信インフラや相手側端末とのデータ送受信を担当する。通信の方法としては、バイナリデータの通信、電子メールによる通信、ＦＡＸ通信、ＤＴＭＦ（Dual-Tone Multi-Frequency）による音声通信等のいずれであってもよく、通信先は自動体外式除細動器２００の設置段階で定義されているものとする。なお、通信先や通信方法の定義は一意に固定されているとは限らず、優先順位付きで複数の通信先、あるいは通信手段が定義されていてもよい。
【００７３】
通信データ生成部２６０は、遠隔地の救急情報センタ、あるいは現場に向かっている救急活動隊に対して通知するデータの中身を生成する。データ生成のため、通信データ生成部２６０は、センサ情報記録部１１１に記録されている傷病者の生体情報や自動体外式除細動器２００の位置情報を取得し、これらデータを決められたフォーマットに整形し、通信用のデータとする。なおこの際、データの圧縮処理を行なっても構わない。
【００７４】
通信制御部２７０は、通信データ生成部２６０が生成するデータを受け取り、これを通信部２７１に渡してデータ通信処理を実施する。
【００７５】
通信部２７１にて、通信不可能状態や通信遮断等が起きた場合は、通信制御部２７０が再接続の要求を出したり、一定時間の休止時間を設けたりして、生成データを遠隔地に送り届ける再送出処理を試みる。また、一度データの送信が完了した場合は、より最新のセンサ情報を相手に通知するため、通信制御部２７０は、予め設定された時間間隔をあけて、通信データ生成部２６０に最新のデータを生成させ、それを通信部２７１によって送信させる。なお、ここでの設定時間間隔の値としてはゼロ、すなわち連続的に最新データの送信を繰り返すこともあり得る。
【００７６】
以上に示した構成により、本形態における自動体外式除細動器２００は、遠隔地に対して傷病者の生体情報や、自動体外式除細動器２００の位置情報を通信によって送信することが可能となる。なお、傷病者の生体情報としては電極パッド１４０を介して検出する心電位の他に、体温情報が考えられる。電極パッド１４０に体温センサを埋め込むことにより、傷病者の胸部の温度を測定することができ、この情報を遠隔地に送出することが可能となる。
【００７７】
（第２の実施の形態）
図２は、本発明の自動体外式除細動器の第２の実施の形態を示すブロック図である。
【００７８】
本形態の自動体外式除細動器は図２に示すように、図１に示した自動体外式除細動器２００に対して、環境情報取得手段である環境情報センサ部３１０と、視覚環境情報取得手段である周囲画像センサ部３１１とが付加されて構成されている。
【００７９】
環境情報センサ部３１０としては、自動体外式除細動器３００がおかれている場所の気温を測定する気温センサや、自動体外式除細動器３００がおかれている場所の湿度を測定する湿度センサや、自動体外式除細動器３００がおかれている場所の照度を測定する照度センサ等が考えられる。また、風量センサ、ガスセンサ、ほこりセンサ等を適用することもできる。このような各種環境センサを単体、あるいは複数個組み合わせて構成される環境情報センサ部３１０は、取得した環境情報データをセンサ情報記憶部１１１に送出し、記憶させる。
【００８０】
周囲画像センサ部３１１としては、一般的なＣＣＤカメラやＣＭＯＳカメラ、あるいは、魚眼カメラや赤外線カメラ等が考えられ、これらによって自動体外式除細動器３００の周囲画像を撮影する。また、この他にも、全方位カメラ等を適用することもできる。このような各種画像センサを単体、あるいは複数個組み合わせて構成される周囲画像センサ部３１１は、取得した周囲画像データをセンサ情報記憶部１１１に送出し、記憶させる。
【００８１】
こうしてセンサ情報記憶部１１１に蓄積された情報に基づいて通信制御部２７０が通信データ生成部２６０に通信用のデータを生成させ、生成されたデータが通信部２７１により遠隔地の装置、あるいは人に対して送信される。この際、各情報に関しては、前回からの差分情報のみを送信してもよい。あるいは、各情報の最新サンプルデータだけを送信してもよい。
【００８２】
こうした多様なセンサの組合せにより、遠隔地の装置、または人に対して傷病者の状況や置かれている場所に関して、より多くの情報を送信することが可能となる。
【００８３】
（第３の実施の形態）
図３は、本発明の自動体外式除細動器の第３の実施の形態を示すブロック図である。
【００８４】
本形態の自動体外式除細動器は図３に示すように、図２に示した自動体外式除細動器３００に対して、通話手段を構成するビデオ通信処理部４８０、カメラ４８１、マイク４８２、ディスプレイ４８３及びスピーカ４８４が付加されるとともに、ポインティングデバイスを実現するために、ポインティング処理部４９０、レーザ発光部４９１及び方向駆動部４９２が付加されて構成されており、音声会話または動画会話を介して遠隔地にいる救急専門家が傷病者の体の部位をポインティングしながら、救助者の救命活動の助言を行なえるものである。
【００８５】
ビデオ通信処理部４７０は、音声や動画等のメディアを用いた遠隔地間のビデオ会話処理を担当し、その機能としては、カメラ４８１、マイク４８２、ディスプレイ４８３及びスピーカ４８４からの信号の入出力処理と、音声や動画の符号化及び復号化である。
【００８６】
カメラ４８１が取得する動画データとマイク４８２が取得する音声データはビデオ通信処理部４８０により符号化され、通信制御部２７０を介して通信部２７１から遠隔地に送信される。同様に、遠隔地から送られてくる符号化動画データと符号化音声データは、通信部２７１から通信制御部２７０を介してビデオ通信処理部４８０に渡り、ここで各々復号化されてディスプレイ４８３やスピーカ４８４に出力される。
【００８７】
以上により、自動体外式除細動器４００を操作する救助者と遠隔地にいる人とが音声会話や動画会話を行なうことが可能となる。
【００８８】
また、動画通信の機能は、救助者が音声会話では説明することができないような傷病者の情報を遠隔地にいる専門家に通知可能にするというメリットがある。例えば、傷病者は、外付け型心臓ペースメーカー、補聴器に代表される電子医療機器を利用している場合、一般人である救助者はこれらの装置に関する知識を有さず、それら機器の存在に気がついたとしてもそれが何であるか判別することができない可能性がある。こうした場合、遠隔地にいる専門家にその不明な所持装置を映像として見せることにより、その装置がどのような機器であるか、どのように扱うべきかといったアドバイス情報を得ることができる。
【００８９】
また、遠隔地にいる専門家も、傷病者がどのような持病を持った人物かを知る参考情報を得て、救助者に対するアドバイスの中身に反映させることが可能となる。
【００９０】
また、電子医療機器でなくても、傷病者が病院の診察券を所持しているような場合、一般人である救助者ではなく、遠隔地にいる専門家が、その病院に対して傷病者の健康状態に関する情報を問合せることができ、得られた情報を駆けつける救急活動隊に情報提供することで、救命活動の迅速化を図ることができる。
【００９１】
ポインティング処理部４９０は、遠隔地にいる人が傷病者の体の部位を指し示すポインティング処理を担当し、レーザ発光部４９１に対する発光のＯＮ，ＯＦＦ、並びに発光強度の指示を行なう。また、方向駆動部４９２に対して方向調整の指示を行なう。
【００９２】
これらの動作は、遠隔地にいる人のリモコン操作によって行なわれるものであり、リモコンが操作されると、その指示情報が通信部２７１で受信され、通信制御部２７０を介してポインティング処理部４９０に通知される。
【００９３】
ポインティング処理部４９１は、指示情報を解釈し、レーザ発光の強度に関する指示に関してはレーザ発光部４９１の制御を行ない、発光のＯＮ，ＯＦＦ、発光の強度を指示された状態にする。
【００９４】
同様に、ポインティング処理部４９１は、指示情報を解釈し、ポインティングの向きに関する指示に関しては、方向調整部４９２は方向駆動部の制御を行なって、ポインティングの方向を指示された状態にする。なお、方向駆動部の実現例としては、モータ駆動、ＭＥＭＳ（Micro Electro Mechanical Systems）ミラー、ガルバノスキャナ等の方法が挙げられる。遠隔地にいるリモコン操作者は、現時点でのポインティング先をカメラ４８１が撮影する画像によって確認しポインティング先を調整する。
【００９５】
以上により、遠隔地にいる救急専門家が傷病者の体の部位をポインティングすることが可能となる。音声会話や動画会話とポインティング機能を両方組み合わせることで、遠隔地にいる救急専門家が救助者の救命活動に現場情報を把握した上での適切な助言を行なえようになる。なお、装置の実装においては、カメラ４８１は周囲画像センサ部３１１が兼ねてもよい。また、ディスプレイ４８３は視覚情報出力部１５２が兼ねてもよく、スピーカ４８４は音声情報出力部１５１が兼ねてもよい。
【００９６】
また、レーザ発光部４９１に関して、レーザを人物に向けて照射することは法律的に制約を受ける可能性がある。従って、傷病者の部位をポインティングできる方法であれば、レーザ光線ではなく、ＬＥＤライト等、その他の発光方法であってもよい。また、直接のポインティングではなく、傷病者の撮影画像に対し、遠隔地にいる専門家が矢印等の視覚情報を重畳し、この画像をディスプレイ４８３に示すことで、間接のポインティングで対応することも考えられる。
【実施例】
【００９７】
以下に、図３に示した自動体外式除細動器４００の実施例について説明する。
【００９８】
（実施例１）
図４は、図３に示した自動体外式除細動器４００の第１の実施例を示す外観斜視図であり、（ａ）は収納時の状態を示す図、（ｂ）は使用時の状態を示す図である。
【００９９】
本実施例における自動体外式除細動器は、図４（ａ）に示した収納時の状態から図４（ｂ）に示す使用時の状態に変化する時に、起動スイッチ１５０が自動的に押下されたこととなり、各種センサが動作を開始する。
【０１００】
また、自動体外式除細動器が起動することにより、遠隔地とのビデオ会話のための各部も動作を開始する。魚眼レンズ５１０は、広視野で周囲画像を撮影する。マイク５１１は装置を操作する救助者の発声を拾う。ディスプレイ５１２は、遠隔地にいる専門家の姿や、救命活動のための図表等を表示する。スピーカ５１３は、遠隔地にいる専門家の音声を出力する。レーザ発光部兼方向駆動部５２０は、遠隔地にいる専門家のリモコン操作によって、発光強度や、ポインティングする方向を変化させることができ、これによって救援者に対し、具体的な部位を指し示しながら、アドバイスを与えることができる。
【０１０１】
なお、魚眼レンズ５１０で撮影された画像は歪みの大きな画像であるが、その画像は遠隔地にいる専門家側の表示手段によって歪みが補正される。
【０１０２】
（実施例２）
図５は、図３に示した自動体外式除細動器４００の第２の実施例を示す外観斜視図である。
【０１０３】
本実施例における自動体外式除細動器は図５に示すように、カメラ、レーザ発光部及び方向駆動部からなるカメラユニット６０１が、アーム６０２の先端に取り付けられて構成されている。アーム６０２は、本実施例における自動体外式除細動器の本体とカメラユニット６０１とを接続する部位であり、本実施例においては、救助者が手動で高さを調節可能な収縮アームを想定している。
【０１０４】
このような構成とすることにより、カメラユニット６０１が地面より高い位置に配置されることととなり、傷病者を少しでも上から見下ろすことが可能となり、また、現場の周囲画像に関しても周囲物体との前後関係や距離間が把握しやすくなるという効果がある。
【０１０５】
これにより、遠隔地にいる専門家が現場の状況をより正確に把握することができ、救助者に対して具体的なアドバイスがしやすくなる効果が期待できる。
【０１０６】
なお、本実施例においては、アーム６０２として手動で高さを変える収縮アームを想定したが、自動体外式除細動器の起動時に、自動的伸張するアームでも構わない。また、直線的に延びるだけでなく、関節を有するいわゆるＺアームでも構わない。さらに、伸縮アームの高さとカメラユニット部の向きが、遠隔地にいる専門家が操作するリモコンによって自由に操作できるものであっても構わない。
【符号の説明】
【０１０７】
１０１    制御部
１０２    動作手順記憶部
１１０    生体情報センサ部
１１１    センサ情報記憶部
１１２    救命処置判断部
１２０    電気ショック発生部
１３０    電極パッド接続切替部
１４０    電極パッド
１５０    起動スイッチ
１５１    音声情報出力部
１５２    視覚情報出力部
１５３    電気ショックスイッチ
２００，３００，４００    自動体外式除細動器
２１０    位置情報センサ部
２６０    通信データ生成部
２７０    通信制御部
２７１    通信部
３１０    環境情報センサ部
３１１    周囲画像センサ部
４８１    カメラ
４８２，５１１    マイク
４８３，５１２    ディスプレイ
４８４，５１３    スピーカ
４９１    レーザ発光部
４９２    方向駆動部
５１０    魚眼カメラ
５２０    レーザ発光部兼方向駆動部
６０１    カメラユニット
６０２    アーム
【図１】
2010246712.tif 000003
【図２】
2010246712.tif 000004
【図３】
2010246712.tif 000005
【図４】
2010246712.tif 000006
【図５】
2010246712.tif 000007
【図６】
2010246712.tif 000008